(57)【要約】【課題】それ自体に遮光機能を持つレンズユニットを提供する。【解決手段】透光性のものからなっており、かつ上下対面する第１の面と第２の面とを有するレンズと、前記レンズの前記第１の面及び前記第２の面中のいずれかの一面上に被覆固定されており、かつ前記一面の一部を露出させるための第1の通孔を有する第１の遮光シートとを備えてなる。【選択図】図３
2005338749.tif 000002
【特許請求の範囲】
【請求項１】
透光性のものからなっており、かつ上下対面する第１の面と第２の面とを有するレンズと、
前記レンズの前記第１の面及び前記第２の面中のいずれかの一面上に被覆固定されており、かつ前記一面の一部を露出させるための第1の通孔を有する第１の遮光シートとを備えてなったことを特徴とするレンズユニット。
【請求項２】
前記レンズは、前記第１の面と前記第２の面とを連結している周面を更に有し、
前記周面上に、第２の遮光シートが被覆固定され、該第２の遮光シートは、前記第１の遮光シートから一体に延伸してなったことを特徴とする請求項１に記載のレンズユニット。
【請求項３】
前記レンズの前記他面に、第３の遮光シートが被覆固定され、
該第３の遮光シートは、前記第２の遮光シートから一体に延伸してなっており、また、前記第１の通孔と対応しかつ直径が前記第１の通孔より大である第２の通孔を有することを特徴とする請求項２に記載のレンズユニット。
【請求項４】
前記遮光シートの上下両面中の少なくとも一面は、粗面状を呈していることを特徴とする請求項１〜３のいずれかの一項に記載のレンズユニット。
【請求項５】
前記レンズは、透明樹脂、ガラス材のうちのいずれかの一つからなっていることを特徴とする請求項１〜４のいずれかの一項に記載のレンズユニット。
【請求項６】
前記遮光シートの主成分は、ポリエステルであることを特徴とする請求項１〜５のいずれかの一項に記載のレンズユニット。
【請求項７】
筒身が上下方向に延伸してなった筒状の容器と当該容器内に上下一連に排列されている複数の前記請求項１〜６のいずれかの一項に記載のレンズユニットとを備えている上、前記複数のレンズユニットのそれぞれの第１の通孔が互いに対応するように上下一列になっていることを特徴とする光学装置。
【発明の詳細な説明】
【技術分野】
【０００１】
本発明は、レンズユニット及びそれを用いた光学装置に関する。
【背景技術】
【０００２】
従来のカメラなどの光学装置は、図１及び図２に示すように、主として筒身が上下方向に延伸してなった鏡筒３と該鏡筒３の筒内に上下一連に排列されている複数のレンズ１とを備えている。前記鏡筒３の先端（図示の下端）には、光線の入り口として開口３１が設けられている。前記複数のレンズ１は、その有効透光区域１１（中間部分）が前記開口３１と対応するように上下一列になっている。また、前記有効透光区域１１以外の区域に入って必要がない光線を確実に遮断するために、前記レンズ１同士の間には、それぞれ遮光片２が更に設けられている。前記各遮光片２の略中央のところには、それぞれ、サイズが前記レンズ１の有効透光区域１１とほぼ同じである通孔２１が開けてある。また、前記複数の遮光片２は互いに平行し、かつそれらの通孔２１以外の部分がその前記先端寄り（下方）にあるレンズ１の上面に緊密に貼り付けられている。
【発明の開示】
【発明が解決しようとする課題】
【０００３】
しかしながら、前記従来の光学装置は、前記複数のレンズ１及び前記複数の遮光片２を前記鏡筒３内に組み入れる時、レンズ１、遮光片２、レンズ１．．．の順序に従って取入れなければならないので、組立が煩雑である上、組立時に一旦前記遮光片２とその下方にあるレンズ１の上面とが緊密に貼り付けられない場合、光学装置の光学性質に悪影響をもたらすという問題がある。
【０００４】
上記に鑑みて、本発明の第１の目的は、前記問題を解消することができるレンズユニットを提供しようとすることにある。
【０００５】
第２の目的は、組立が簡素である光学装置を提供しようとすることにある。
【課題を解決するための手段】
【０００６】
前記目的を達成するために、発明者は、まず、レンズユニットを提供する。該レンズユニットは、透光性のものからなっており、かつ上下対面する第１の面と第２の面とを有するレンズと、前記レンズの前記第１の面及び前記第２の面中のいずれかの一面上に被覆固定されており、かつ前記一面の一部を露出させるための第1の通孔を有する第１の遮光シートとを備えてなったことを特徴とする。
【０００７】
そして、前記レンズユニットに基づき、発明者は光学装置を更に提供する。該光学装置は、筒身が上下方向に延伸してなった筒状の容器と当該容器内に上下一連に排列されている複数の前記レンズユニットとを備えている上、前記複数のレンズユニットのそれぞれの第１の通孔が互いに対応するように上下一列になっていることを特徴とする。
【発明の効果】
【０００８】
本発明のレンズユニット及びそれを用いた光学装置は、レンズユニットそれ自体に遮光シートが被覆固定され、すなわちそれ自体に遮光の機能が既に備わっているので、複数のレンズユニットで光学装置を構成する時、別に遮光片を設ける必要がなく、組立が簡素になる上、前記従来の組立時の遮光片とレンズとの間の貼り付けの緊密さの問題がなくなり、光学装置の光学性質が確保されやすい。
【発明を実施するための最良の形態】
【０００９】
以下、本発明のレンズユニット及びそれを用いた光学装置の好ましい実施形態を詳しく説明する。なお、以下の説明においては、そのサイズに拘わらず、略同一の機能及び構成を有する構成要素については、同一符号を付し、重複説明は必要な場合にのみ行う。
【００１０】
本発明のレンズユニット１００の好ましい実施形態は、図３及び図４に示すように、上下対面する第１の面１０１と第２の面１０２とを有するレンズ１０と、前記レンズ１０の前記第１の面１０１及び前記第２の面１０２中のいずれかの一面上に被覆固定されている第１の遮光シート２０とからなる。
【００１１】
図示のこの実施形態においては、前記第１の遮光シート２０は前記レンズ１０の下面としての前記第２の面１０２上に被覆固定されている。
【００１２】
もっと詳しく説明すると、前記レンズ１０は、透光性のもの、例えば透明樹脂、ガラス材のうちのいずれかの一つからなっており、かつ前記第１の面１０１と前記第２の面１０２とを連結している周面１０３を更に有している。本実施形態において前記レンズとしては透明樹脂からなったものが使用されている。
【００１３】
また、前記レンズ１０の略中間部分は、有効透光区域１０４とされている。該有効透光区域は必要に応じて球面（両凸、平凸、凸メニスカス、両凹、平凹、凹メニスカスなど）や非球面（楕円面、放物面、双曲面など）が構成されていてもよい。
【００１４】
そして、前記第１の遮光シート２０の略中央のところには、前記有効透光区域１０４と対応し、且つ、サイズがそれとほぼ同じである第1の通孔２０１が開けてある。それにより、光線が前記レンズユニット１００の下面側から入る時、前記第1の通孔２０１を経由して前記有効透光区域１０４に入った光線しか前記レンズユニット１００を通すことができず、他の光線がすべて前記第１の遮光シート２０に吸収される。
【００１５】
本実施形態において前記第１の遮光シート２０は主成分としてポリエステルにカーボンブラックを添加してなったもの（「Ｂ−Ｒ
９０ＭＤ」、日本ソマール株式会社製）が使用されている。
【００１６】
また、前記第１の遮光シート２０の上下両面２０２，２０３中の少なくとも一面が粗面状を呈している。本実施形態において前記第１の遮光シート２０は上面２０２も下面２０３も粗面状を呈し、かつ平均粗さが０．７７μｍであるものが使用されている。
【００１７】
本発明の光学装置は、前記構成によるレンズユニット１００を複数個配列して構成してなる。
【００１８】
図５に示されている実施形態の前記光学装置は、主として筒身が上下方向 に延伸してなった筒状の容器４（例えば鏡筒）と当該容器４内に上下一連に排列されている複数の前記レンズユニット１００とを備えている上、前記複数のレンズユニット１００のそれぞれの第１の通孔２０１が互いに対応するように上下一列になっている。
【００１９】
もっと詳しく説明すると、前記容器４の先端（図示の下端）には、光線の入り口として開口４１が設けられている。前記複数のレンズユニット１００は、その有効透光区域１０４及び前記第１の通孔２０１が前記開口４１と対応するように上下一列になっている。
【００２０】
前記レンズユニット１００及びそれを用いた光学装置は、レンズユニットそれ自体に遮光の機能が既に備わっているので、複数の当該レンズユニット１００で光学装置を構成する時、別に遮光片を設ける必要がなく、組立が簡素になる上、前記従来の組立時の遮光片とレンズとの間の貼り付けの緊密さの問題がなくなり、光学装置の光学性質が確保されやすい。
【００２１】
また、前記レンズユニット１００全体は、射出成型法や鋳型法で製造されることができる。以下、射出成型法で如何に本発明のレンズユニットを成形する例を簡単に説明する。
【００２２】
図６に示すように、射出成型機に搭載する金型２００は、一般的に、上下２の型板２１０，２２０と、それぞれ前記上下２の型板２１０，２２０内に設けられていてキャビティを構成するキャビ２３０及びコア２４０と、前記上下２の型板２１０，２２０を挟むように設けられている上下２の取付け板２５０，２６０とを備えてなる。本実施形態において前記キャビ２３０の前記キャビティを構成する面には、凹部２３１が形成され、前記コア２４０の前記キャビティを構成する面には、凸部２４１が形成されている。また、前記上の型板２１０及び上の取付板２５０側には、スプールブッシュ２７０が設けられている。
【００２３】
本発明のレンズユニット１００を成型する時、まず型開時に前記第１の遮光シート２０を、その第１の通孔２０１が前記コア２４０の凸部２４１にあるように前記コア２４０上に設けておく。そして型閉時に前記スプールブッシュ２７０を経由して射出成型用樹脂を前記キャビティ内に注入することにより、前記レンズ１０と第１の遮光シート２０とが一体になったレンズユニット１００を成形することができる。
【００２４】
図７は、本発明のレンズユニットの他の実施形態を示す。
【００２５】
この他の実施形態では、前記レンズ１０の前記周面１０３上には、第２の遮光シート３０が更に被覆固定されている。該第２の遮光シート３０は、前記第１の遮光シート２０から一体に延伸してなる。
【００２６】
この第２の遮光シート３０は、前記第１の遮光シート２０と同様に、２面も平均粗さが０．７７μｍである粗面状を呈する。
【００２７】
それにより、前記レンズユニット１００の遮光効果を更に向上させることができる。
【００２８】
図８は、本発明のレンズユニットのまた他の実施形態を示す。
【００２９】
このまた他の実施形態では、前記レンズ１０の前記第１の面１０１には、第３の遮光シート４０が更に被覆固定されている。該第３の遮光シート４０は、前記第２の遮光シート３０から一体に延伸してなっており、また、その略中央のところに、前記第１の通孔２０１と対応しかつ直径が前記第１の通孔２０１より大である第２の通孔４０１を有する。
【００３０】
この第３の遮光シート４０は、前記第１と第２の遮光シート２０，３０と同様に、２面も平均粗さが０．７７μｍである粗面状を呈する。
【００３１】
それにより、前記レンズユニット１００の遮光効果を更に向上させることができる。
【産業上の利用可能性】
【００３２】
叙上のように、本発明のレンズユニット及びそれを用いた光学装置は、遮光シートが既にレンズ上に被覆固定されているため、複数のレンズユニットで光学装置を構成する時、組立が簡素になる上、前記従来の組立時の遮光片とレンズとの間の貼り付けの緊密さの問題がなくなるので、光学性質が確保されやすい。
【００３３】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【図面の簡単な説明】
【００３４】
【図１】従来の光学装置を示す分解断面図
【図２】図１の組立後の断面図
【図３】本発明のレンズユニットの好ましい実施形態を示す断面図
【図４】図３の一部拡大図
【図５】本発明の光学装置を示す分解断面図
【図６】射出成型法で前記レンズユニットを成形する例を説明する図
【図７】本発明のレンズユニットの他の実施形態を示す断面図
【図８】本発明のレンズユニットのまた他の実施形態を示す断面図
【符号の説明】
【００３５】
１００    レンズユニット
１０      レンズ
１０１    第１の面
１０２    第２の面
１０３    周面
１０４    有効透光区域
２０      第１の遮光シート
２０１    第１の通孔
２０２，２０３    上下２面
３０      第２の遮光シート
４０      第３の遮光シート
４０１    第２の通孔
４        容器（鏡筒）
４１      開口
２００    金型
２１０，２２０    上下２の型板
２３０    ギャビ
２３１    凹部
２４０    コア
２４１    凸部
２５０，２６０    上下２の取付け板
２７０    スプールブッシュ
【図１】
2005338749.tif 000003
【図２】
2005338749.tif 000004
【図３】
2005338749.tif 000005
【図４】
2005338749.tif 000006
【図５】
2005338749.tif 000007
【図６】
2005338749.tif 000008
【図７】
2005338749.tif 000009
【図８】
2005338749.tif 000010